【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
少なくとも１つのＰＨＹ層信号パラメータの当初の値をディザリングするために、第１のワイヤレスデバイスで、少なくとも１つの所定の変化信号修正処理に従って、信号の前記少なくとも１つのＰＨＹ層信号パラメータの前記当初の値を可変修正することであって、前記少なくとも１つのＰＨＹ層信号パラメータは、振幅、周波数、タイムスタンプ、利得、信号等化、またはこれらの任意の組合せを備える、可変修正することと、
第２のワイヤレスデバイスに、前記少なくとも１つのＰＨＹ層信号パラメータの可変修正値を伴う前記信号を送信することであって、前記送信される信号は、前記少なくとも１つのＰＨＹ層信号パラメータのアンディザリングされた前記当初の値を前記第２のワイヤレスデバイスで復元するために、前記少なくとも１つのＰＨＹ層信号パラメータの前記可変修正値を伴う前記信号に前記少なくとも１つの所定の変化信号修正処理の少なくとも１つの逆処理を適用することと、前記少なくとも１つのＰＨＹ層信号パラメータの前記可変修正値への前記少なくとも１つの逆処理の適用を通じて前記第２のワイヤレスデバイスで復元された前記少なくとも１つのＰＨＹ層信号パラメータのアンディザリングされた前記当初の値に少なくとも部分的に基づいて場所決定動作を行うこととによって、前記少なくとも１つのＰＨＹ層信号パラメータのアンディザリングされた前記当初の値が前記少なくとも１つのＰＨＹ層信号パラメータの前記可変修正値から前記第２のワイヤレスデバイスで決定されるとき、前記第２のワイヤレスデバイスの位置決定を容易にするように構成される、送信することと
を備える、方法。
【請求項２】
前記少なくとも１つの所定の変化信号修正処理に従って前記少なくとも１つのＰＨＹ層信号パラメータの前記当初の値を可変修正することは、
それぞれの異なる所定の変化信号修正処理に従って、２つ以上のＰＨＹ層信号パラメータの当初の値を可変修正することを備え、好ましくは、
前記２つ以上のＰＨＹ層信号パラメータの１つは遅延または位相の少なくとも１つを備える、請求項１に記載の方法。
【請求項３】
前記少なくとも１つの所定の変化信号修正処理に従って前記少なくとも１つのＰＨＹ層信号パラメータの前記当初の値を可変修正することは、
擬似ランダム時間変化ベース処理に従って、前記少なくとも１つのＰＨＹ層信号パラメータの前記当初の値を可変修正することを備える、請求項１に記載の方法。
【請求項４】
前記少なくとも１つの所定の変化信号修正処理に従って前記少なくとも１つのＰＨＹ層信号パラメータの前記当初の値を可変修正することは、
自己回帰移動平均処理に従って、前記少なくとも１つのＰＨＹ層信号パラメータの前記当初の値を可変修正することを備え、好ましくは、
前記自己回帰移動平均処理に従って前記少なくとも１つのＰＨＹ層信号パラメータの前記当初の値を可変修正することは、
擬似ランダム生成器処理に基づいて乱数の列を生成することと、
結果の列を生成するために、乱数の前記列を、前記自己回帰移動平均処理のｚ変換の実装形態に入力することと、
前記結果の列に基づいて、前記少なくとも１つのＰＨＹ層信号パラメータの前記当初の値を修正することと
を備え、さらに好ましくは、
前記第１のワイヤレスデバイスおよび前記第２のワイヤレスデバイスでのそれぞれのクロックは、基準時間に対して同期され、前記第２のワイヤレスデバイスでの第２の擬似乱数の列は、前記第２の擬似乱数の列が前記第１のワイヤレスデバイスで生成される乱数の前記列と同期するように生成される、請求項１に記載の方法。
【請求項５】
前記第２のワイヤレスデバイスでの位置決定を容易にするように構成される前記送信される信号は、受信信号強度インジケータ（ＲＳＳＩ）ベース位置決定処理、ラウンドトリップタイム（ＲＴＴ）ベース位置決定処理、慣性ナビゲーションシステムによって支援される速度ベース位置決定処理、またはこれらの任意の組合せの１つまたは複数に基づいて、前記第２のワイヤレスデバイスでの位置決定を容易にするように構成され、好ましくは、
前記ＲＳＳＩベース位置決定処理はＲＳＳＩフィンガープリンティング処理を備え、前記ＲＴＴベース位置決定処理はＲＴＴフィンガープリンティング処理を備える、請求項１に記載の方法。
【請求項６】
前記第１のワイヤレスデバイスはアクセスポイントを備え、好ましくは、
前記アクセスポイントはＷｉＦｉ（登録商標）ベース局を備え、および／または、
前記第２のワイヤレスデバイスは、前記少なくとも１つの所定の変化信号修正処理に従って前記第１のワイヤレスデバイスで可変修正される前記少なくとも１つのＰＨＹ層信号パラメータ値によって前記信号のアンディザリングを可能にするように構成されるアンディザリングユニットを装備した、事前認可されたワイヤレスデバイスを備える、請求項１に記載の方法。
【請求項７】
少なくとも１つのＰＨＹ層信号パラメータの当初の値をディザリングするために、少なくとも１つの所定の変化信号修正処理に従って、信号の前記少なくとも１つのＰＨＹ層信号パラメータの前記当初の値を可変修正するための手段であって、前記少なくとも１つのＰＨＹ層信号パラメータは、振幅、周波数、タイムスタンプ、利得、信号等化、またはこれらの任意の組合せを備える、可変修正するための手段と、
受信ワイヤレスデバイスに、前記少なくとも１つのＰＨＹ層信号パラメータの可変修正値を伴う前記信号を送信するための手段であって、前記送信される信号は、前記少なくとも１つのＰＨＹ層信号パラメータのアンディザリングされた前記当初の値を前記受信ワイヤレスデバイスで復元するために、前記少なくとも１つのＰＨＹ層信号パラメータの前記可変修正値を伴う前記信号に前記少なくとも１つの所定の変化信号修正処理の少なくとも１つの逆処理を適用することと、前記少なくとも１つのＰＨＹ層信号パラメータの前記可変修正値への前記少なくとも１つの逆処理の適用を通じて前記受信ワイヤレスデバイスで復元された前記少なくとも１つのＰＨＹ層信号パラメータのアンディザリングされた前記当初の値に少なくとも部分的に基づいて場所決定動作を行うこととによって、前記少なくとも１つのＰＨＹ層信号パラメータのアンディザリングされた前記当初の値が前記少なくとも１つのＰＨＹ層信号パラメータの前記可変修正値から前記受信ワイヤレスデバイスで決定されるとき、前記受信ワイヤレスデバイスの位置決定を容易にするように構成される、送信するための手段と
を備える、装置。
【請求項８】
少なくとも１つのＰＨＹ層信号パラメータの当初の値をディザリングするために、第１のワイヤレスデバイスで、前記少なくとも１つのＰＨＹ層信号パラメータの前記当初の値に適用される少なくとも１つの所定の変化信号修正処理に従って生成された、可変修正された少なくとも１つのＰＨＹ層信号パラメータ値を伴う、第２のワイヤレスデバイスから送信される信号を受信することであって、前記少なくとも１つのＰＨＹ層信号パラメータは、振幅、周波数、タイムスタンプ、利得、信号等化、またはこれらの任意の組合せを備える、受信することと、
前記少なくとも１つのＰＨＹ層信号パラメータのアンディザリングされた前記当初の値を前記第１のワイヤレスデバイスで復元するために、前記可変修正された少なくとも１つのＰＨＹ層信号パラメータ値を伴う前記信号に前記少なくとも１つの所定の変化信号修正処理の少なくとも１つの逆処理の適用を通じて、前記受信された信号から、前記少なくとも１つのＰＨＹ層信号パラメータのアンディザリングされた前記当初の値を決定することと、
前記第１のワイヤレスデバイスの位置を、前記第１のワイヤレスデバイスで受信された前記信号の前記可変修正された少なくとも１つのＰＨＹ層信号パラメータ値への前記少なくとも１つの逆処理の前記適用を通じて決定された、前記信号の前記少なくとも１つのＰＨＹ層信号パラメータのアンディザリングされた前記当初の値に少なくとも部分的に基づいて、決定することと
を備える、方法。
【請求項９】
前記少なくとも１つの所定の変化信号修正処理に従って生成される、前記受信された信号の前記可変修正された少なくとも１つのＰＨＹ層信号パラメータ値は、
前記第２のワイヤレスデバイスから送信された前記信号の２つ以上のＰＨＹ層信号パラメータのそれぞれの当初の値に適用されるそれぞれの異なる所定の変化信号修正処理に従って生成される、可変修正された２つ以上のＰＨＹ層信号パラメータ値を備え、好ましくは、
前記２つ以上のＰＨＹ層信号パラメータの１つは遅延または位相の少なくとも１つを備える、請求項８に記載の方法。
【請求項１０】
前記少なくとも１つの所定の変化信号修正処理に従って生成される、前記受信された信号の前記可変修正された少なくとも１つのＰＨＹ層信号パラメータ値は、前記第２のワイヤレスデバイスから送信された前記信号の前記少なくとも１つのＰＨＹ層信号パラメータの前記当初の値に適用される擬似ランダム時間変化ベース処理に従って生成される、請求項８に記載の方法。
【請求項１１】
前記少なくとも１つの所定の変化信号修正処理に従って生成される、前記受信された信号の前記可変修正された少なくとも１つのＰＨＹ層信号パラメータ値は、前記第２のワイヤレスデバイスから送信された前記信号の前記少なくとも１つのＰＨＹ層信号パラメータの前記当初の値に適用される自己回帰移動平均処理に従って生成され、好ましくは、
前記自己回帰移動平均処理に従って生成される、前記可変修正された少なくとも１つのＰＨＹ層信号パラメータ値は、
前記第２のワイヤレスデバイスで、擬似ランダム生成器処理に基づいて乱数の列を生成し、
前記第２のワイヤレスデバイスで、結果の列を生成するために、乱数の前記列を、前記自己回帰移動平均処理のｚ変換の実装形態に入力し、
前記第２のワイヤレスデバイスで、前記結果の列に基づいて、前記少なくとも１つのＰＨＹ層信号パラメータの前記当初の値を修正することによって、生成され、好ましくは、
前記第１のワイヤレスデバイスでの第１のクロックを、基準時間に対して前記第２のワイヤレスデバイスでの第２のクロックに同期させることと、
第２の擬似乱数の列が前記第２のワイヤレスデバイスで生成される乱数の前記列と同期するように、前記第１のワイヤレスデバイスで前記第２の擬似乱数の列を生成することとをさらに備える、請求項８に記載の方法。
【請求項１２】
前記第１のワイヤレスデバイスの前記位置を決定することは、
受信信号強度インジケータ（ＲＳＳＩ）ベース位置決定処理、ラウンドトリップタイム（ＲＴＴ）ベース位置決定処理、慣性ナビゲーションシステムによって支援される速度ベース位置決定処理、またはこれらの任意の組合せの１つまたは複数に基づいて、前記第１のワイヤレスデバイスの前記位置を決定することを備え、好ましくは、
前記ＲＳＳＩベース位置決定処理は、ＲＳＳＩフィンガープリンティング処理を備え、前記ＲＴＴベース位置決定処理はＲＴＴフィンガープリンティング処理を備える、請求項８に記載の方法。
【請求項１３】
前記第２のワイヤレスデバイスはアクセスポイントを備え、好ましくは、
前記第１のワイヤレスデバイスは、前記少なくとも１つの所定の変化信号修正処理に従って前記第２のワイヤレスデバイスで可変修正される前記少なくとも１つのＰＨＹ層信号パラメータ値によって前記信号のアンディザリングを可能にするように構成されるアンディザリングユニットを装備した、事前認可されたワイヤレスデバイスを備える、請求項８に記載の方法。
【請求項１４】
装置であって、
少なくとも１つのＰＨＹ層信号パラメータの当初の値をディザリングするために、前記少なくとも１つのＰＨＹ層信号パラメータの前記当初の値に適用される少なくとも１つの所定の変化信号修正処理に従って生成された、可変修正された少なくとも１つのＰＨＹ層信号パラメータ値を伴う、送信ワイヤレスデバイスから送信される信号を受信するための手段であって、前記少なくとも１つのＰＨＹ層信号パラメータは、振幅、周波数、タイムスタンプ、利得、信号等化、またはこれらの任意の組合せの１つまたは複数を備える、受信するための手段と、
前記少なくとも１つのＰＨＹ層信号パラメータのアンディザリングされた前記当初の値を前記装置で復元するために、前記可変修正された少なくとも１つのＰＨＹ層信号パラメータ値を伴う前記信号に前記少なくとも１つの所定の変化信号修正処理の少なくとも１つの逆処理の適用を通じて、前記受信された信号から、前記少なくとも１つのＰＨＹ層信号パラメータのアンディザリングされた前記当初の値を決定するための手段と、
前記装置の位置を、前記装置で受信された前記信号の前記可変修正された少なくとも１つのＰＨＹ層信号パラメータ値への前記少なくとも１つの逆処理の前記適用を通じて決定された、前記信号の前記少なくとも１つのＰＨＹ層信号パラメータのアンディザリングされた前記当初の値に少なくとも部分的に基づいて、決定するための手段と
を備える、装置。
【請求項１５】
実行されると、請求項１―６、または８−１３のうちのいずれかの方法を行う動作をさせる、プロセッサ上で実行可能な命令のセットによってプログラムされる、プロセッサ可読媒体。